(57)【特許請求の範囲】
【請求項１】
内部に注液するための開口部を有し、かつ、液体が貯められる容器部と、
前記開口部を塞ぐための、前記容器部に着脱可能な蓋部と、
前記蓋部の裏面側に取り付けられ、前記容器部に貯められる液体に紫外線を照射することで、当該液体を殺菌する紫外線光源部と、
前記蓋部の内部に収納され、前記紫外線光源部の点灯及び消灯を制御する駆動回路部と、
前記駆動回路部に電気的に接続された導電性の２つの第１端子部とを備え、
前記開口部は、飲用口を兼ね、
前記駆動回路部は、
（ｉ）前記蓋部が前記容器部に取り付けられている場合、前記２つの第１端子部が互いに接触して電気的に導通することで、前記紫外線光源部を点灯させることができ、
（ｉｉ）前記蓋部が前記容器部から取り外されている場合、前記２つの第１端子部が互いに離間して非導通状態になることで、前記紫外線光源部の点灯を禁止する
蓋付きマグ。
【請求項２】
さらに、
前記駆動回路部に電気的に接続された導電性の２つの第２端子部であって、前記蓋部の裏面から突出し、かつ、互いに離間して配置された２つの第２端子部を備え、
前記駆動回路部は、前記蓋部が前記容器部に取り付けられた場合において、
（ｉ）前記２つの第２端子部の双方が前記容器部に貯められた液体に接触したときに、前記２つの第２端子部が当該液体を介して電気的に導通することで、前記紫外線光源部を点灯させることができ、
（ｉｉ）前記２つの第２端子部の少なくとも一方が前記容器部に貯められた液体に接触しないときに、前記２つの第２端子部が非導通状態になることで、前記紫外線光源部の点灯を禁止する
請求項１に記載の蓋付きマグ。
【請求項３】
前記蓋部の形状は、有底筒状であり、
前記蓋部の前記裏面は、前記蓋部の底部の内面であり、
前記２つの第２端子部の少なくとも一方の外面は、前記蓋部の底部から前記蓋部の開口端面まで電気的に絶縁されている
請求項２に記載の蓋付きマグ。
【発明の詳細な説明】
【技術分野】
【０００１】
本発明は、殺菌機能を有する蓋付きマグに関する。
【背景技術】
【０００２】
従来、家庭に配水されている水道水などを、紫外線によって殺菌してから飲用水として用いることが行われている。これは、たとえ水道水であっても、マイクロコッカス菌又は大腸菌などの細菌が混入している場合があるためである。特に、発展途上国などにおいては、家庭用の水道水であっても十分に殺菌処理が行われていない場合、あるいは、配水途中で細菌が混入する場合がある。
【０００３】
これに対して、特許文献１には、家庭用の殺菌装置が開示されている。特許文献１に開示された殺菌装置は、水道管に連結されて使用される水殺菌装置であり、水道水をフィルタに通し、フィルタを通した後の水道水に紫外線を照射して殺菌する。
【先行技術文献】
【特許文献】
【０００４】
【特許文献１】特開２００５−２１１８５１号公報
【発明の概要】
【発明が解決しようとする課題】
【０００５】
しかしながら、上記従来の殺菌装置は、水道管に連結されて使用されるために、持ち運ぶことができない。一般のユーザからは、どこでも気軽に持ち運ぶことができ、簡単に殺菌を行うことができる殺菌装置が求められている。
【０００６】
そこで、本発明は、携帯性に優れ、かつ、簡単に液体を殺菌することができる蓋付きマグを提供することを目的とする。
【課題を解決するための手段】
【０００７】
上記目的を達成するため、本発明の一態様に係る蓋付きマグは、内部に注液するための開口部を有し、かつ、液体が貯められる容器部と、前記開口部を塞ぐための、前記容器部に着脱可能な蓋部と、前記蓋部の裏面側に取り付けられ、前記容器部に貯められる液体に紫外線を照射することで、当該液体を殺菌する紫外線光源部と、前記蓋部の内部に収納され、前記紫外線光源部の点灯及び消灯を制御する駆動回路部とを備え、前記開口部は、飲用口を兼ねる。
【発明の効果】
【０００８】
本発明に係る蓋付きマグによれば、携帯性に優れ、かつ、簡単に液体を殺菌することができる。
【図面の簡単な説明】
【０００９】
【図１】実施の形態に係る蓋付きマグの斜視図である。
【図２】実施の形態に係る蓋付きマグの蓋部を取り外した状態を示す斜視図である。
【図３】実施の形態に係る蓋付きマグの分解斜視図である。
【図４】図１のＩＶ−ＩＶ線における実施の形態に係る蓋付きマグの部分断面斜視図である。
【図５】図１のＶ−Ｖ線における実施の形態に係る蓋付きマグの部分断面斜視図である。
【図６Ａ】図４の領域ＶＩを示す一部拡大断面図であり、蓋部が容器部に取り付けられていない場合の２つの端子部を示す図である。
【図６Ｂ】図４の領域ＶＩを示す一部拡大断面図であり、蓋部が容器部に取り付けられている場合の２つの端子部を示す図である。
【図７】実施の形態に係る蓋付きマグの内部に水が貯められて殺菌処理が可能な状態を示す部分断面図である。
【図８】実施の形態に係る蓋付きマグの動作及び使用方法を説明するための図である。
【図９】実施の形態の変形例に係る蓋付きマグの蓋部を模式的に示す断面図である。
【図１０】実施の形態の変形例に係る蓋付きマグの蓋部の効果を説明するための断面図である。
【発明を実施するための形態】
【００１０】
以下では、本発明の実施の形態に係る蓋付きマグについて、図面を用いて詳細に説明する。なお、以下に説明する実施の形態は、いずれも本発明の好ましい一具体例を示すものである。したがって、以下の実施の形態で示される数値、形状、材料、構成要素、構成要素の配置及び接続形態、ステップ、ステップの順序などは、一例であり、本発明を限定する趣旨ではない。よって、以下の実施の形態における構成要素のうち、本発明の最上位概念を示す独立請求項に記載されていない構成要素については、任意の構成要素として説明される。
【００１１】
また、各図は、模式図であり、必ずしも厳密に図示されたものではない。また、各図において、同じ構成部材については同じ符号を付している。また、以下の実施の形態において、略円形などの表現を用いている。例えば、略円形は、完全に円形であることを意味するだけでなく、実質的に円形である、すなわち、例えば数％程度の誤差を含むことも意味する。他の「略」を用いた表現についても同様である。
【００１２】
（実施の形態）
［概要］
まず、本実施の形態に係る蓋付きマグの概要について、図１及び図２を用いて説明する。
【００１３】
図１は、本実施の形態に係る蓋付きマグ１の斜視図である。図２は、本実施の形態に係る蓋付きマグ１の蓋部２０を取り外した状態を示す斜視図である。なお、各図において、蓋付きマグ１の上下方向をｚ軸方向とし、当該上下方向に交差する２つの互いに直交する方向をｘ軸方向及びｙ軸方向とする。
【００１４】
本実施の形態に係る蓋付きマグ１は、水などの液体を貯める容器（いわゆる水筒）であり、必要なタイミングで貯められた水を飲用水又は料理用水などとしてユーザに提供することができる。具体的には、蓋付きマグ１は、水道水、井戸水、湧き水、雨水などの水（以下、「未殺菌水」と記載する）に紫外線を照射することで殺菌する。蓋付きマグ１は、殺菌後の水（以下、「殺菌水」と記載する）を飲用水などとしてユーザに提供する。なお、未殺菌水とは、本実施の形態に係る蓋付きマグ１による殺菌を行う前の液体を意味し、他の手段によって殺菌済の液体も含む概念である。例えば、蓋付きマグ１には、市販のペットボトルの飲料水が入れられてもよい。
【００１５】
本実施の形態に係る蓋付きマグ１は、可搬性を有する。つまり、蓋付きマグ１は、小型、かつ、軽量であり、持ち運び可能である。蓋付きマグ１は、例えば、人が手で持てる大きさである。
【００１６】
図２に示すように、蓋付きマグ１は、注水口と飲用口とを兼ねた開口部１１を有する容器部１０と、開口部１１を塞ぐための蓋部２０とを備える。蓋部２０は、容器部１０に対して着脱可能である。
【００１７】
ユーザは、蓋付きマグ１の蓋部２０を取り外して、開口部１１を介して容器部１０の内部に注水した後、蓋部２０を取り付ける。蓋付きマグ１は、容器部１０に貯められた水に紫外線を照射して、当該水を殺菌する。その後、ユーザは、蓋部２０を取り外して、容器部１０の内部に貯められた殺菌水を、開口部１１を介して取り出し、飲用水などとして利用することができる。蓋付きマグ１の動作及び使用方法の詳細については、後で説明する。
【００１８】
図３は、本実施の形態に係る蓋付きマグ１の分解斜視図である。なお、図３には、容器部１０を示していない。図４及び図５は、本実施の形態に係る蓋付きマグ１の部分断面斜視図である。具体的には、図４は、図１のＩＶ−ＩＶ線における断面を示している。図５は、図１のＶ−Ｖ線における断面を示している。
【００１９】
図３に示すように、蓋付きマグ１は、さらに、紫外線光源部３０と、駆動回路部４０と、バッテリー部５０と、開閉センサ部６０と、２つの端子部７０と、表示部８０と、スイッチ部９０とを備える。
【００２０】
以下では、本実施の形態に係る蓋付きマグ１が備える各構成要素について、図１〜図５を適宜参照しながら詳細に説明する。
【００２１】
［容器部］
容器部１０は、内部に液体が貯められる容器部である。容器部１０は、内部に注液するための開口部１１を有する。液体は、具体的には、水であるが、お茶又はジュースなどでもよい。
【００２２】
開口部１１は、注水口と飲用口とを兼ねている。なお、飲用口とは、具体的にはユーザが水を飲む際に直接、口を付ける部分を意味するが、これに限定されない。飲用口は、ユーザが飲むための水が取り出される給水口を意味する。つまり、ユーザが直接、口を付けることができるか否かは問われず、開口部１１は、内部への注水と外部への給水との双方に利用される開口である。
【００２３】
本実施の形態では、容器部１０は、開口部１１以外に、内部への注水及び外部への給水を行うための開口を備えない。開口部１１は、容器部１０の内部と外部とを連通する唯一の開口である。
【００２４】
容器部１０の容量は、例えば５００ｍＬであるが、これに限定されない。容器部１０は、例えば、人が片手又は両手で持てる程度の大きさである。
【００２５】
容器部１０の形状は、図１及び図２に示すように有底略円筒形状であるが、これに限定されない。容器部１０の形状は、有底角筒形状でもよく、あるいは、開口部１１が底部より小さい形状（いわゆるボトル状）でもよい。
【００２６】
本実施の形態では、容器部１０は、保温機能を有する。具体的には、容器部１０は、内側容器と外側容器との二重構造を有する。内側容器と外側容器との間は、真空などの減圧された空間である。これにより、内側容器と外側容器との間で熱伝導が抑制され、内部に貯められる水の温度を保つことができる。
【００２７】
容器部１０の内側容器は、ステンレス又はアルミニウムなどの金属材料を用いて形成されている。これにより、容器部１０の内面で紫外線光源部３０が発する紫外線を反射させることができるので、効率良く水を殺菌することができる。なお、容器部１０の外側容器は、例えば、ポリプロピレン（ＰＰ）などの樹脂材料から形成される。
【００２８】
なお、容器部１０は、保温機能を有していなくてもよく、二重構造を有していなくてもよい。また、容器部１０は、樹脂材料を用いて成形されて、その内面がめっき処理などによって金属材料で覆われていてもよい。
【００２９】
［蓋部］
蓋部２０は、開口部１１を塞ぐための、容器部１０に着脱可能な蓋部である。蓋部２０は、容器部１０に取り付けられることで、開口部１１を塞ぐことができる。
【００３０】
蓋部２０が容器部１０に取り付けられた状態、すなわち、蓋部２０が開口部１１を塞いだ状態では、蓋部２０と開口部１１との間には隙間は形成されておらず、容器部１０の内部から外部に光（紫外線）は漏れない。また、蓋部２０が開口部１１を塞いだ状態では、容器部１０に貯められた水は、外部に漏れ出ない。
【００３１】
本実施の形態では、蓋部２０は、ネジ式の蓋である。具体的には、蓋部２０には雌ねじが設けられ、当該雌ねじに螺合する雄ねじが容器部１０の開口部１１の近傍に設けられている。蓋部２０を容器部１０に対して回動させることで、蓋部２０は、容器部１０に取り付けられて開口部１１を塞ぐことができる。なお、蓋部２０の回動軸は、円筒形状の蓋付きマグ１の中心軸（ｚ軸方向）である。
【００３２】
なお、蓋部２０は、押し込み式又はスライド式などの蓋でもよく、容器部１０への取り付け方式は特に限定されない。例えば、蓋部２０は、容器部１０の開口部１１に対して押し込むことで容器部１０に取り付けられてもよい。
【００３３】
蓋部２０の形状は、図１及び図２に示すように、両端が閉じられた略円筒形状であるが、これに限定されない。蓋部２０の形状は、容器部１０の開口部１１の形状に対応し、開口部１１を塞ぐことができる形状である。
【００３４】
蓋部２０の裏面２０ａは、容器部１０の開口部１１を覆う面である。蓋部２０の表面２０ｂは、裏面２０ａの反対側の面である。なお、本実施の形態では、蓋部２０が容器部１０に取り付けられた状態（例えば図４及び図５）において裏面２０ａから表面２０ｂに向かう方向、すなわち、ｚ軸正方向を「上方」と記載し、その反対方向を「下方」と記載する場合がある。
【００３５】
図３に示すように、蓋部２０は、蓋ベース２１と、電池蓋２２と、密閉パッキン２３と、防水パッキン２４とを備える。
【００３６】
蓋ベース２１は、蓋部２０の本体である。蓋ベース２１の形状は、有底略円筒形状である。図２に示すように、蓋ベース２１の底部２１１の外面が蓋部２０の裏面２０ａである。蓋ベース２１と電池蓋２２とが組み合わされて略円筒形状の蓋部２０の外郭が形成される。蓋ベース２１は、例えば、ポリプロピレンなどの樹脂材料から形成される。
【００３７】
本実施の形態では、図４及び図５に示すように、底部２１１には、容器部１０の開口部１１に合わせて凹凸が設けられている。つまり、底部２１１は、凹部２１２と、凸部２１３とを有する。凹部２１２は、蓋ベース２１の外周に沿って設けられた環状の凹部（溝）である。凸部２１３は、周囲を凹部２１２に囲まれた略円柱状の凸部であり、下方（ｚ軸方向の負側）に向けて突出している。
【００３８】
凹部２１２には、容器部１０の開口部１１の縁が挿入される。本実施の形態では、凹部２１２には、雌ねじが設けられており、開口部１１の縁の外側面に設けられた雄ねじと螺合する。
【００３９】
凸部２１３は、蓋部２０が容器部１０に取り付けられた場合に、開口部１１を介して挿入されて容器部１０の内方に位置する。本実施の形態では、凸部２１３に紫外線光源部３０が取り付けられている。
【００４０】
具体的には、凸部２１３には、略中央部分にｚ軸方向に貫通する孔部２１４が設けられている。図４及び図５に示すように、紫外線光源部３０のＵＶランプ３１が孔部２１４に挿入されて取り付けられている。孔部２１４の内面には、雌ねじが設けられており、ＵＶランプ３１の外周に設けられた雄ねじと螺合する。
【００４１】
なお、裏面２０ａは、例えば、金属面である。具体的には、凸部２１３の下面は、例えばアルミニウムなどの金属膜で覆われている。これにより、紫外線光源部３０が発する紫外線を反射させることができるので、効率良く水を殺菌することができる。なお、蓋ベース２１がステンレス又はアルミニウムなどの金属材料を用いて形成されてもよい。
【００４２】
電池蓋２２は、蓋ベース２１の開口を覆う蓋である。電池蓋２２の形状は、扁平な有底略円筒形状である。図３に示すように、電池蓋２２の底部２２１の外面が蓋部２０の表面２０ｂである。電池蓋２２は、例えば、ポリプロピレンなどの樹脂材料から形成される。
【００４３】
本実施の形態では、図５に示すように、底部２２１の内面（表面２０ｂの反対側の面）から突起部２２２が下方に向けて立設している。上面視において、突起部２２２の周囲には一部を除いてスリットが設けられており、突起部２２２は、ｚ軸方向に移動可能である。図５に示すように、突起部２２２の上面にスイッチ部９０が固定されている。突起部２２２は、スイッチ部９０が押下（オン）されたときに下方に移動して、駆動回路部４０のスイッチ素子４２を押下する。
【００４４】
電池蓋２２は、例えば、蓋ベース２１に対して着脱可能でもよい。例えば、電池蓋２２は、ネジ式の蓋である。これにより、電池蓋２２を容易に蓋ベース２１から取り外すことで、バッテリー部５０（具体的には、電池５１）の交換を行うことができる。
【００４５】
密閉パッキン２３は、図４及び図５に示すように、蓋部２０の裏面２０ａ側に設けられている。具体的には、密閉パッキン２３は、蓋ベース２１の凸部２１３の外面に固定されている。図３に示すように、密閉パッキン２３の形状は、略円筒形状である。密閉パッキン２３は、例えば耐水性を有するゴムなどの樹脂材料から形成される。
【００４６】
密閉パッキン２３は、蓋部２０が容器部１０に取り付けられた場合に、蓋部２０と容器部１０との間の隙間を塞ぐ。具体的には、密閉パッキン２３は、開口部１１と凸部２１３との間を塞ぐ。これにより、蓋部２０が開口部１１を完全に塞ぐことができ、容器部１０の内部から水及び光が外部に漏れないようすることができる。
【００４７】
防水パッキン２４は、図４及び図５に示すように、蓋ベース２１と電池蓋２２との間に設けられている。図３に示すように、防水パッキン２４の形状は、略円環形状である。防水パッキン２４は、例えば耐水性を有するゴムなどの樹脂材料から形成される。
【００４８】
防水パッキン２４は、蓋ベース２１と電池蓋２２との間の隙間を介して水分が蓋ベース２１の内部に進入するのを抑制する。これにより、蓋部２０の内部に収容されるバッテリー部５０などを水分から保護することができる。
【００４９】
［紫外線光源部］
紫外線光源部３０は、蓋部２０の裏面２０ａ側に取り付けられ、容器部１０に貯められる液体（具体的には、水）に紫外線を照射することで、当該液体を殺菌する。照射する紫外線は、例えば、２００ｎｍ〜４００ｎｍの範囲にピーク波長を有する紫外線である。本実施の形態では、紫外線光源部３０は、一例として、ピーク波長が２５３．７ｎｍの紫外線を照射する。
【００５０】
本実施の形態では、紫外線光源部３０は、蓋部２０に取り付けられており、図２に示すように、蓋部２０が容器部１０から取り外された場合に、蓋部２０と紫外線光源部３０とは一体的に取り外される。
【００５１】
図３に示すように、紫外線光源部３０は、ＵＶランプ３１と、保護枠３２と、ネジ３３と、Ｏリング３４とを備える。
【００５２】
ＵＶランプ３１は、駆動回路部４０から電力を受けて紫外線を発する。ＵＶランプ３１としては、例えば、入力電力３Ｗのグロー電球（紫外線出力１Ｗ）を用いることができるが、これに限定されない。ＵＶランプ３１は、紫外線を発するＬＥＤ（Ｌｉｇｈｔ  Ｅｍｉｔｔｉｎｇ  Ｄｉｏｄｅ）素子を用いてもよい。
【００５３】
ＵＶランプ３１は、裏面２０ａを貫通するように設けられている。具体的には、ＵＶランプ３１は、孔部２１４にねじ入れられて固定されている。なお、ＵＶランプ３１は、蓋ベース２１に取り付けられた後、防水のために樹脂などを用いて固着されてもよい。
【００５４】
ＵＶランプ３１は、下面視において裏面２０ａの略中心に設けられている。これにより、容器部１０に貯められた水に、略均等に紫外線を照射することができる。
【００５５】
ＵＶランプ３１及び保護枠３２は、蓋部２０が容器部１０に取り付けられた場合に、図４及び図５に示すように、開口部１１から挿入されて容器部１０の内部に位置している。これにより、ＵＶランプ３１及び保護枠３２は、容器部１０に規定の水量（例えば５００ｍＬ）の水が貯められた場合に、貯められた水に浸かる（後述する図７を参照）。
【００５６】
保護枠３２は、ＵＶランプ３１の破損を防止するための立体格子状のカバーである。保護枠３２は、ＵＶランプ３１を囲むように設けられている。保護枠３２は、例えばステンレスなどの金属材料から形成される。
【００５７】
ネジ３３は、保護枠３２を蓋ベース２１（具体的には、凸部２１３）に固定するためのネジであり、例えば、タッピンネジである。
【００５８】
Ｏリング３４は、図４及び図５に示すように、ＵＶランプ３１と蓋部２０（具体的には、孔部２１４）との間に設けられている。図３に示すように、Ｏリング３４の形状は、略円環形状である。Ｏリング３４は、例えば耐水性を有するゴムなどの樹脂材料から形成される。Ｏリング３４は、ＵＶランプ３１と孔部２１４との間の隙間を介して水分が蓋部２０の内部に進入するのを抑制する。これにより、蓋部２０の内部に位置するＵＶランプ３１の給電部分、駆動回路部４０及びバッテリー部５０などを水分から保護することができる。
【００５９】
［駆動回路部］
駆動回路部４０は、蓋部２０の内部に収納され、紫外線光源部３０の点灯及び消灯を制御する。具体的には、駆動回路部４０は、紫外線光源部３０を点灯するタイミング及び消灯するタイミングを制御する。なお、駆動回路部４０は、紫外線光源部３０が出射する紫外線の強度、又は、紫外線を照射する期間を変更する制御を行ってもよい。
【００６０】
本実施の形態では、駆動回路部４０は、紫外線光源部３０の点灯が可能な点灯可能モードと、紫外線光源部３０の点灯が禁止されている点灯禁止モードとを実行する。点灯可能モードでは、スイッチ部９０がオンされたときに、駆動回路部４０は、紫外線光源部３０の点灯を行う。点灯禁止モードでは、スイッチ部９０がオンされたとしても、駆動回路部４０は、紫外線光源部３０の点灯を行わない。
【００６１】
本実施の形態では、駆動回路部４０は、開閉センサ部６０及び２つの端子部７０の少なくとも一方の状態に基づいて、点灯可能モードと点灯禁止モードとを切り替える。
【００６２】
具体的には、駆動回路部４０は、蓋部２０が容器部１０に取り付けられている場合、開閉センサ部６０の２つの端子部６１及び６２が互いに接触して電気的に導通することで、紫外線光源部３０を点灯させることができる。すなわち、駆動回路部４０は、２つの端子部６１及び６２が電気的に導通状態にある場合に、点灯可能モードを実行する。
【００６３】
また、駆動回路部４０は、蓋部２０が容器部１０から取り外されている場合、２つの端子部６１及び６２が互いに離間して非導通状態になることで、紫外線光源部３０の点灯を禁止する。すなわち、駆動回路部４０は、２つの端子部６１及び６２が非導通状態にある場合に、点灯禁止モードを実行する。
【００６４】
さらに、本実施の形態では、駆動回路部４０は、蓋部２０が容器部１０に取り付けられた場合において、２つの端子部７０の双方が容器部１０に貯められた水に接触したときに、２つの端子部７０が当該水を介して電気的に導通することで、紫外線光源部３０を点灯させることができる。すなわち、駆動回路部４０は、２つの端子部７０が水を介して導通状態になった場合に、点灯可能モードを実行する。
【００６５】
また、駆動回路部４０は、２つの端子部７０の少なくとも一方が容器部１０に貯められた水に接触しないときに、２つの端子部７０が非導通状態になることで、紫外線光源部３０の点灯を禁止する。すなわち、駆動回路部４０は、２つの端子部７０が非導通状態である場合に、点灯禁止モードを実行する。
【００６６】
このように、本実施の形態では、２つの端子部６１及び６２並びに２つの端子部７０の双方が導通状態である場合に、駆動回路部４０は、点灯可能モードを実行する。すなわち、スイッチ部９０がオンされた場合に、駆動回路部４０は、紫外線光源部３０を点灯させる。
【００６７】
また、２つの端子部６１及び６２並びに２つの端子部７０の少なくとも一方が非導通状態である場合に、駆動回路部４０は、点灯禁止モードを実行する。すなわち、スイッチ部９０がオンされたとしても、駆動回路部４０は、紫外線光源部３０を点灯させない。
【００６８】
図３に示すように、駆動回路部４０は、メイン回路基板４１と、スイッチ素子４２と、ＬＥＤ基板４３と、ネジ４４とを備える。
【００６９】
メイン回路基板４１は、紫外線光源部３０（具体的には、ＵＶランプ３１）の点灯及び消灯を制御する。つまり、メイン回路基板４１は、バッテリー部５０からＵＶランプ３１への電力の供給の開始及び停止を制御するための回路基板である。メイン回路基板４１は、例えば、マイコン（マイクロコントローラ）が実装された基板である。
【００７０】
メイン回路基板４１は、スイッチ素子４２からの制御信号に基づいて動作する。また、メイン回路基板４１は、開閉センサ部６０及び２つの端子部７０の少なくとも一方の状態に基づいて、点灯可能モードと点灯禁止モードとを切り替える。
【００７１】
点灯可能モードの場合に、スイッチ部９０がオンされたとき、メイン回路基板４１は、予め定められた期間、紫外線光源部３０を点灯させる。なお、当該期間は、容器部１０に入れられた未殺菌水が殺菌されるのに十分な期間である。当該期間は、例えば、容器部１０の容量と紫外線光源部３０の紫外線の強度とに基づいて決定された期間である。
【００７２】
スイッチ素子４２は、スイッチ部９０の押下（オン）を検出し、制御信号をメイン回路基板４１に出力する。スイッチ素子４２は、例えば、ＬＥＤ基板４３に実装されている。
【００７３】
本実施の形態では、スイッチ素子４２は、スイッチ部９０がオンされたことを検出した場合に、ＵＶランプ３１の点灯を開始するためのオン信号を制御信号としてメイン回路基板４１に出力する。メイン回路基板４１は、オン信号が入力された場合に、点灯可能モードであれば、ＵＶランプ３１を点灯させる。
【００７４】
ＬＥＤ基板４３は、ＬＥＤ素子（図示せず）が実装された基板である。ＬＥＤ素子は、可視光を発する。ＬＥＤ素子が発した光は、表示部８０を透過して外部に出射する。
【００７５】
本実施の形態では、ＬＥＤ基板４３は、ＵＶランプ３１の点灯状態に応じてＬＥＤ素子の点灯を制御する。具体的には、ＬＥＤ基板４３は、ＵＶランプ３１の点灯中、すなわち、ＵＶランプ３１が紫外線を発している期間に、ＬＥＤ素子を点滅点灯させる。また、ＬＥＤ基板４３は、ＵＶランプ３１の点灯終了後に、ＬＥＤ素子を連続点灯させる。
【００７６】
さらに、ＬＥＤ基板４３は、ＵＶランプ３１の点灯終了後に蓋部２０が容器部１０から取り外された場合に、ＬＥＤ素子を消灯する。例えば、ＬＥＤ基板４３は、開閉センサ部６０に電気的に接続されており、開閉センサ部６０によって蓋部２０が容器部１０から取り外されたことが検知されたときに、ＬＥＤ素子を消灯する。
【００７７】
ネジ４４は、メイン回路基板４１を蓋ベース２１に固定するためのネジであり、例えば、タッピンネジである。なお、本実施の形態では、メイン回路基板４１は、２つのネジ４４と２つのネジ５４とによって蓋ベース２１の底部２１１に固定されている。ＬＥＤ基板４３は、例えば、蓋ベース２１の内部に設けられた突起（図示せず）に載置されている。
【００７８】
［バッテリー部］
バッテリー部５０は、蓋部２０の内部に収納され、紫外線光源部３０に電力を供給するためのバッテリー部である。本実施の形態では、バッテリー部５０は、駆動回路部４０に電力を供給することで、紫外線光源部３０だけでなく、表示部８０のＬＥＤ素子などにも電力を供給する。
【００７９】
図３に示すように、バッテリー部５０は、電池５１と、２つの電池端子５２と、電池受け５３と、ネジ５４とを備える。
【００８０】
電池５１は、駆動回路部４０に電力を供給する電源の一例である。電池５１は、例えばリチウム電池であるが、これに限定されない。電池５１は、一次電池及び二次電池のいずれでもよい。
【００８１】
２つの電池端子５２は、一方が電池５１の正極に接触し、他方が電池５１の負極に接触するように配置されている。２つの電池端子５２は、例えば、金属などの導電性材料を用いて形成されている。２つの電池端子５２は、電池５１の電力を駆動回路部４０に供給する。
【００８２】
電池受け５３は、電池５１を支持するための部材である。電池受け５３は、例えば、絶縁性の樹脂材料を用いて形成される。本実施の形態では、電池受け５３は、電池５１の約半分が収容される凹部を有している。電池５１は、当該凹部に収容され、上部を電池蓋２２に押さえられている。これにより、蓋部２０の内部での電池５１の移動が規制され、駆動回路部４０への電力の供給の信頼性を高めることができる。
【００８３】
ネジ５４は、電池受け５３を蓋部２０に固定するためのネジである。本実施の形態では、図５に示すように、ネジ５４は、電池受け５３と蓋ベース２１との間にメイン回路基板４１を挟んで固定している。ネジ５４は、例えば、タッピンネジである。
【００８４】
なお、電池５１は、着脱可能でもよい。すなわち、本実施の形態では、電池５１を交換可能でもよい。これにより、電池５１の容量が少なくなった（あるいは、なくなった）ときに、容量が少ない電池５１を新しい電池５１に取り替えることができる。例えば、電池蓋２２を蓋ベース２１から取り外すことで、電池５１が外部に露出するので、容易に電池５１の交換を行うことができる。
【００８５】
［開閉センサ部（第１端子部）］
開閉センサ部６０は、蓋部２０が容器部１０に取り付けられているか否かを検知する。すなわち、開閉センサ部６０は、蓋部２０が容器部１０の開口部１１を塞いでいるか否かを検知する。
【００８６】
本実施の形態では、開閉センサ部６０は、蓋部２０の裏面２０ａに設けられている。具体的には、開閉センサ部６０は、図４に示すように、蓋ベース２１の凹部２１２内に固定されている。開閉センサ部６０は、２つの端子部６１及び６２と、緩衝部材６３とを備える。
【００８７】
図６Ａ及び図６Ｂはそれぞれ、図４の領域ＶＩを示す一部拡大断面図である。図６Ａは、蓋部２０が容器部１０に取り付けられていない場合の２つの端子部６１及び６２を示す図である。図６Ｂは、蓋部２０が容器部１０に取り付けられている場合の２つの端子部６１及び６２を示す図である。
【００８８】
２つの端子部６１及び６２は、駆動回路部４０に電気的に接続された導電性の２つの第１端子部の一例である。２つの端子部６１及び６２は、例えば、銅、アルミニウム、ステンレス、若しくは、ニッケル及び銅の合金などの金属製の板状部材、又は、導電性ゴムなどである。
【００８９】
図６Ａに示すように、蓋部２０が容器部１０に取り付けられていない状態では、端子部６１と端子部６２とは、互いに離間している。すなわち、端子部６１と端子部６２とは、非導通状態にある。
【００９０】
２つの端子部６１及び６２が非導通状態である場合には、点灯禁止モードが維持されて、スイッチ部９０がオンされたとしても紫外線光源部３０は点灯しない。このため、蓋部２０が容器部１０に取り付けられていない場合には、紫外線光源部３０は点灯しない。したがって、蓋部２０が容器部１０から取り外された状態で、紫外線光源部３０が誤って紫外線を照射するのを抑制することができ、安全性を高めることができる。
【００９１】
一方で、図６Ｂに示すように、蓋部２０が容器部１０に取り付けられた状態では、端子部６２が容器部１０の一部（具体的には、開口部１１の縁）に押圧されて弾性変形する。端子部６２は、例えば、金属製の板バネである。これにより、端子部６２は、端子部６１と接触し、電気的に導通する。
【００９２】
２つの端子部６１及び６２が導通状態になったときに、点灯禁止モードから点灯可能モードに切り替わる。つまり、スイッチ部９０がオンされた場合に、駆動回路部４０は、紫外線光源部３０を点灯させることができる。なお、端子部６２は、板バネでなくてもよく、容器部１０による押圧に応じて移動可能な導電性の部材でもよい。
【００９３】
緩衝部材６３は、端子部６２が容器部１０に直接接触しないように設けられた弾性を有する部材である。緩衝部材６３は、容器部１０に押圧されて弾性変形する。緩衝部材６３は、例えば、ゴムなどの樹脂材料から形成される。
【００９４】
［端子部（第２端子部）］
２つの端子部７０は、駆動回路部４０に電気的に接続された導電性の２つの第２端子部の一例である。２つの端子部７０は、例えば、ステンレス、アルミニウム、銅、又は、ニッケル及び銅の合金などの金属製の棒状部材である。
【００９５】
２つの端子部７０は、蓋部２０の裏面２０ａから突出し、かつ、互いに離間して配置されている。本実施の形態では、図５に示すように、２つの端子部７０は、凸部２１３（裏面２０ａ）を貫通し、メイン回路基板４１に接続されている。
【００９６】
図７は、本実施の形態に係る蓋付きマグ１の内部に水２が貯められて殺菌処理が可能な状態を示す部分断面図である。具体的には、図７は、図１のＶ−Ｖ線における断面を示している。
【００９７】
本実施の形態では、容器部１０の内部に水２を所定量（例えば、規定容量である５００ｍＬ）入れた場合に、水２に、２つの端子部７０の双方が接触する。２つの端子部７０の双方が水２に接触することで、２つの端子部７０は、水２を介して電気的に導通する。これにより、駆動回路部４０は、紫外線光源部３０（ＵＶランプ３１）を点灯させることができる。すなわち、２つの端子部７０の双方が水に接触したときに、点灯禁止モードから点灯可能モードに切り替わる。
【００９８】
２つの端子部７０の少なくとも一方が水２に接触しない場合には、点灯禁止モードが維持される。このため、スイッチ部９０がオンされたとしても紫外線光源部３０は点灯しない。
【００９９】
この構成により、容器部１０に十分な量の水２が貯められた場合に、紫外線光源部３０は点灯して、水２を殺菌することができる。言い換えると、容器部１０に貯められた水２の水量が少ない場合には、紫外線光源部３０は点灯しない。
【０１００】
例えば、容器部１０に入れられた水２が少ない場合、紫外線が水２に適切に照射されずに、殺菌効果が低くなる。つまり、殺菌効果が不十分な状態で紫外線光源部３０が点灯するのを抑制するので、ランプ寿命が短くなるのを抑制することができる。
【０１０１】
また、容器部１０に十分な量の水２が貯められた場合においても、蓋部２０が容器部１０に取り付けられていない場合には、２つの端子部７０が水２に接触せずに、紫外線光源部３０が点灯しない。したがって、蓋部２０が容器部１０から取り外された状態で、紫外線光源部３０が誤って紫外線を照射するのを抑制することができ、安全性を高めることができる。
【０１０２】
［表示部］
表示部８０は、紫外線光源部３０の点灯状態を表示する。本実施の形態では、表示部８０は、略円環状の樹脂部材である。具体的には、表示部８０は、シリカなどの拡散材料が内部に拡散された透光性の樹脂材料を用いた射出成形により形成される。例えば、表示部８０は、二色成形により電池蓋２２と一体に形成される。
【０１０３】
表示部８０は、ＬＥＤ基板４３のＬＥＤ素子が発した光を透過させ、かつ、拡散材料によって拡散（散乱）させる。紫外線光源部３０（具体的にはＵＶランプ３１）の点灯状態に応じてＬＥＤ素子の点灯状態が変化するので、表示部８０は、ＵＶランプ３１の点灯状態を表示することができる。
【０１０４】
具体的には、表示部８０は、紫外線光源部３０の点灯中に点滅点灯し、紫外線光源部３０の点灯終了後に連続点灯する。点滅点灯は、光量の増減を繰り返すことであり、例えば、点灯（１００％）と消灯（０％）とを繰り返すことである。繰り返しの周期などは、特に限定されない。連続点灯は、一定の光量（例えば１００％）の光を出射し続けることである。
【０１０５】
このように、紫外線光源部３０の点灯状態に応じて表示部８０の点灯状態（表示状態）が変化するので、ユーザは、表示部８０の点灯状態を確認することで、容器部１０に入れられた水の状態を把握することができる。例えば、表示部８０が点滅点灯している場合には、水の殺菌中であることが分かる。表示部８０が連続点灯している場合には、水の殺菌が終了し、飲用水として利用できる状態にあることが分かる。すなわち、表示部８０が連続点灯している場合には、ユーザは、蓋部２０を取り外して、容器部１０に貯められた水を飲むことができる。
【０１０６】
また、表示部８０は、蓋部２０が容器部１０から取り外された場合に消灯する。これにより、表示部８０が消灯している場合には、蓋部２０が少なくとも１回は容器部１０から取り外されて、その後、紫外線の照射を行っていないことを意味する。つまり、容器部１０に貯められた水は、未殺菌水である可能性がある。このため、水を飲む前に殺菌を行うように、ユーザに促すことができる。
【０１０７】
［スイッチ部］
スイッチ部９０は、駆動回路部４０のオン及びオフを切り替える。本実施の形態では、スイッチ部９０は、押下式の物理ボタンであるが、これに限定されない。スイッチ部９０は、スライド式のボタンなどでもよい。
【０１０８】
本実施の形態では、スイッチ部９０が押下（オン）されたときに、電池蓋２２の突起部２２２を介して、スイッチ素子４２を押下する。これにより、スイッチ部９０がオンされたことを駆動回路部４０に伝えることができる。スイッチ部９０がオンされたときに、点灯可能モードであれば、紫外線光源部３０は、紫外線を出射することで水を殺菌する。
【０１０９】
［動作及び使用方法］
続いて、本実施の形態に係る蓋付きマグ１の動作及び使用方法について、図８を用いて説明する。図８は、本実施の形態に係る蓋付きマグ１の動作及び使用方法を説明するための図である。
【０１１０】
まず、図８の（ａ）に示すように、ユーザ５（（ｆ）を参照）は、蓋付きマグ１の蓋部２０を取り外して、開口部１１を介して容器部１０内に水２を注水する。例えば、蛇口３から水道水を水２として注水する。蛇口３は、例えば、家庭用の水道の蛇口であり、水２は、水道水（未殺菌水）である。
【０１１１】
次に、図８の（ｂ）に示すように、ユーザ５は、容器部１０に蓋部２０を取り付けることで、開口部１１を塞ぐ。蓋部２０を容器部１０に適切に取り付けることで、開閉センサ部６０の端子部６１及び６２が接触して導通状態になり、かつ、２つの端子部７０の双方が水２に接触して水２を介して導通状態になる（図６Ｂ及び図７を参照）。これにより、駆動回路部４０は、点灯禁止モードから点灯可能モードに切り替わる。
【０１１２】
なお、蓋部２０が取り外された状態（図８の（ａ））では、端子部６１及び６２、並びに、２つの端子部７０のいずれも非導通状態であるので、点灯禁止モードが維持される。このため、スイッチ部９０をオンしたとしても紫外線光源部３０は点灯されない。
【０１１３】
また、蓋部２０を容器部１０に取り付けることで、容器部１０に入れられた水２は、外に漏れ出ない。したがって、ユーザ５は、蓋付きマグ１を持ち運ぶことができる。
【０１１４】
次に、図８の（ｃ）に示すように、ユーザ５は、例えば指４でスイッチ部９０を押下する。これにより、図８の（ｄ）に示すように、紫外線光源部３０（具体的にはＵＶランプ３１）が紫外線を出射する。このとき、表示部８０は、点滅点灯する。
【０１１５】
予め定められた期間が経過すると、図８の（ｅ）に示すように、紫外線光源部３０は消灯する。紫外線光源部３０が消灯するのに合わせて、表示部８０が連続点灯する。
【０１１６】
最後に、図８の（ｆ）に示すように、ユーザ５の任意のタイミングで、蓋部２０を容器部１０から取り外して、開口部１１を介して水２を飲用水として利用する。このときの水２は、殺菌水であり、飲用に適している。このとき、蓋部２０が容器部１０から取り外されているので、表示部８０は消灯している。
【０１１７】
［効果など］
以上のように、本実施の形態に係る蓋付きマグ１は、内部に注液するための開口部１１を有し、かつ、液体が貯められる容器部１０と、開口部１１を塞ぐための、容器部１０に着脱可能な蓋部２０と、蓋部２０の裏面側に取り付けられ、容器部１０に貯められる液体に紫外線を照射することで、当該液体を殺菌する紫外線光源部３０と、蓋部２０の内部に収納され、紫外線光源部３０の点灯及び消灯を制御する駆動回路部４０とを備え、開口部１１は、飲用口を兼ねる。
【０１１８】
これにより、図８で示したように、蓋付きマグ１単体で水の殺菌を簡単に行うことができる。ユーザ５は、殺菌水が入った蓋付きマグ１を自在に持ち運ぶことができ、好きな場所、好きな時間に、開口部１１を介して殺菌水を飲用水として利用することができる。すなわち、本実施の形態に係る蓋付きマグ１は、携帯性に優れ、かつ、簡単に水を殺菌することができる。
【０１１９】
なお、例えば市販のペットボトルに入れられた飲料水などは、一度開封した場合に、口や空気中から雑菌が入って繁殖する恐れがある。すなわち、購入時点では十分に安全であっても、その状態が維持されるとは限らない。これに対して、本実施の形態に係る蓋付きマグ１によれば、例えば、ユーザ５が飲む直前に殺菌を行うことができるので、安全性の高い飲用水を常時提供することができる。
【０１２０】
また、例えば、蓋付きマグ１は、さらに、駆動回路部４０に電気的に接続された導電性の２つの端子部６１及び６２を備え、駆動回路部４０は、（ｉ）蓋部２０が容器部１０に取り付けられている場合、２つの端子部６１及び６２が互いに接触して電気的に導通することで、紫外線光源部３０を点灯させることができ、（ｉｉ）蓋部２０が容器部１０から取り外されている場合、２つの端子部６１及び６２が互いに離間して非導通状態になることで、紫外線光源部３０の点灯を禁止する。
【０１２１】
これにより、蓋部２０が容器部１０から取り外された場合には、紫外線光源部３０は点灯しない。したがって、蓋部２０が容器部１０から取り外された状態で誤って紫外線が照射されるのを抑えることができ、安全性を高めることができる。
【０１２２】
また、例えば、蓋付きマグ１は、さらに、駆動回路部４０に電気的に接続された導電性の２つの端子部７０であって、蓋部２０の裏面２０ａから突出し、かつ、互いに離間して配置された２つの端子部７０を備え、駆動回路部４０は、蓋部２０が容器部１０に取り付けられた場合において、（ｉ）２つの端子部７０の双方が容器部１０に貯められた水２に接触したときに、２つの端子部７０が水２を介して電気的に導通することで、紫外線光源部３０を点灯させることができ、（ｉｉ）２つの端子部７０の少なくとも一方が容器部１０に貯められた水２に接触しないときに、２つの端子部７０が非導通状態になることで、紫外線光源部３０の点灯を禁止する。
【０１２３】
これにより、蓋部２０が容器部１０から取り外された場合には、紫外線光源部３０は点灯しない。したがって、蓋部２０が容器部１０から取り外された状態で誤って紫外線が照射されるのを抑えることができ、安全性を高めることができる。
【０１２４】
（変形例）
以下では、上述した蓋付きマグ１の変形例について図面を用いて説明する。
【０１２５】
例えば、上記の実施の形態では、蓋付きマグ１の蓋部２０の形状が略円柱形状である例について説明したが、これに限らない。図９に示すように、本変形例に係る蓋部１２０の形状は、有底略円筒形状である。
【０１２６】
図９は、本変形例に係る蓋付きマグの蓋部１２０を模式的に示す断面図である。
【０１２７】
本変形例に係る蓋部１２０は、底部１２１及び開口部１２２を有する。図示しないが、底部１２１の内面１２１ａに紫外線光源部３０が取り付けられている。内面１２１ａは、蓋部１２０の裏面に相当する。
【０１２８】
本変形例では、２つの端子部１７０が内面１２１ａから突出し、かつ、互いに離間して配置されている。２つの端子部１７０は、第２端子部の一例であり、上記の実施の形態に係る２つの端子部７０と同様に、２つの端子部１７０の双方が水に接触したときに、２つの端子部１７０が水を介して電気的に導通することで、紫外線光源部３０を点灯させることができる。２つの端子部１７０が非導通状態である場合には、紫外線光源部３０の点灯は禁止されている。
【０１２９】
本変形例では、２つの端子部１７０の少なくとも一方の外面は、蓋部１２０の底部１２１から蓋部１２０の開口部１２２の端面まで電気的に絶縁されている。具体的には、図９に示すように、２つの端子部１７０の各々は、導電部１７１と、絶縁部１７２とを備える。導電部１７１は、実施の形態に係る端子部７０と同様に、例えば、金属製の棒状部材である。導電部１７１は、底部１２１の内面１２１ａに立設している。
【０１３０】
絶縁部１７２は、導電部１７１の外面を覆うように設けられた絶縁性の部材である。具体的には、絶縁部１７２は、導電部１７１の、底部１２１から開口部１２２の端面までの外面を覆っている。絶縁部１７２は、例えば、絶縁性の樹脂材料を用いて形成される。
【０１３１】
以上のように、本変形例に係る蓋付きマグでは、蓋部１２０の形状は、有底筒状であり、蓋部１２０の裏面は、蓋部１２０の底部１２１の内面１２１ａであり、２つの端子部１７０の少なくとも一方の外面は、蓋部１２０の底部１２１から蓋部１２０の開口部１２２の端面まで電気的に絶縁されている。
【０１３２】
ここで、図１０は、本変形例に係る蓋付きマグの蓋部１２０の効果を説明するための図である。蓋部１２０の形状が有底筒状であるので、図１０に示すように、蓋部１２０をひっくり返したときに、蓋部１２０に付着していた水２が底部１２１に溜まる場合がある。
【０１３３】
このとき、本変形例に係る蓋部１２０によれば、端子部１７０の根元部分に絶縁部１７２が設けられているので、２つの端子部１７０は、水２を介して導通しない。したがって、蓋部１２０が容器部１０から取り外された状態で誤って紫外線が照射されるのを抑えることができ、安全性を高めることができる。
【０１３４】
なお、本変形例では、２つの端子部１７０の両方に絶縁部１７２を設けたが、いずれか一方のみに絶縁部１７２を設けてもよい。
【０１３５】
（その他）
以上、本発明に係る蓋付きマグについて、上記実施の形態及びその変形例に基づいて説明したが、本発明は、上記の実施の形態に限定されるものではない。
【０１３６】
例えば、上記の実施の形態では、蓋付きマグ１が開閉センサ部６０及び２つの端子部７０を備える例について説明したが、これに限定されない。蓋付きマグ１は、開閉センサ部６０及び２つの端子部７０のいずれか一方のみを備えてもよく、あるいは、両方とも備えなくてもよい。
【０１３７】
また、蓋付きマグ１は、スイッチ部９０を備えていなくてもよい。例えば、蓋付きマグ１がスイッチ部９０を備えていない場合、２つの端子部６１及び６２が電気的に導通し、かつ、２つの端子部７０が電気的に導通したときに、駆動回路部４０は、一定期間、紫外線光源部３０を点灯させてもよい。
【０１３８】
これにより、規定量の水を容器部１０に入れて、蓋部２０を容器部１０に取り付けることで、紫外線が照射されて水が殺菌される。つまり、ユーザのスイッチ部９０の押し忘れにより、未殺菌水を誤って飲んでしまうことを避けることができる。
【０１３９】
また、例えば、蓋部２０を貫通し、飲用水を取り出すための貫通孔が設けられていてもよい。当該貫通孔は、容器部１０の内部と外部空間とを連通し、外部空間側の開口には蓋が設けられていてもよい。これにより、蓋部２０を取り外さなくても殺菌水を飲用に用いることができる。
【０１４０】
その他、各実施の形態に対して当業者が思いつく各種変形を施して得られる形態や、本発明の趣旨を逸脱しない範囲で各実施の形態における構成要素及び機能を任意に組み合わせることで実現される形態も本発明に含まれる。
【符号の説明】
【０１４１】
１  蓋付きマグ
２  水（液体）
１０  容器部
１１  開口部
２０、１２０  蓋部
２０ａ  裏面
３０  紫外線光源部
４０  駆動回路部
６１、６２  端子部（第１端子部）
７０、１７０  端子部（第２端子部）
１２１  底部
１２１ａ  内面
１７１  導電部
１７２  絶縁部
【図１】
0006646828.tif 000002
【図２】
0006646828.tif 000003
【図３】
0006646828.tif 000004
【図４】
0006646828.tif 000005
【図５】
0006646828.tif 000006
【図６Ａ】
0006646828.tif 000007
【図６Ｂ】
0006646828.tif 000008
【図７】
0006646828.tif 000009
【図８】
0006646828.tif 000010
【図９】
0006646828.tif 000011
【図１０】
0006646828.tif 000012